(57)【要約】【課題】本発明は上記問題を考慮し、片流れの屋根においても施工期間が短く、コストを抑制することができる無落雪屋根構造を得ることが目的である。【解決手段】建物に設けられる片流れの屋根の傾斜面の下側には、片流れの屋根の傾斜と逆方向で、かつその傾斜の角度は水平を超えかつ垂直未満の角度とされた雪止め板が設けられている。したがって、屋根の上に積もった雪は、片流れの屋根の傾斜に沿って下へ移動する場合でも、屋根の傾斜方向の下側に設けられている雪止め板によって堰き止められて屋根の上に留まり、地上に落雪しないようにすることが可能となる。【選択図】図２
2014214421.tif 000002
【特許請求の範囲】
【請求項１】
建物に設けられた片流れの屋根と、
前記片流れの屋根の傾斜面の傾斜方向下側に設けられ、前記片流れの屋根の傾斜方向と逆方向に傾斜しかつ水平を超えかつ垂直未満の勾配を有した雪止め板と、
を備えた無落雪屋根構造。
【請求項２】
前記屋根は、折板屋根とされており、
当該折板屋根におけるそれぞれの谷折部には排水口が形成されており、当該排水口はそれぞれ連通路を介して屋内を通る一本の集合配管に連結されている、
請求項１記載の無落雪屋根構造。
【請求項３】
前記雪止め板と前記片流れの屋根との間には、屋内の空気を外部へ排出する排気手段が設けられている、  
請求項１又は請求項２記載の無落雪屋根構造。
【請求項４】
細長い板状に形成された雪止め板と、
前記雪止め板の一方の長辺部の下側に設けられた第１脚部と、
前記雪止め板の他方の長辺部の下側に設けられ、前記第１脚部よりも脚の長さが長く設定された第２脚部と、
を有する雪止め装置。
【発明の詳細な説明】
【技術分野】
【０００１】
本発明は、無落雪屋根構造に関する。
【背景技術】
【０００２】
下記特許文献１には、無落雪屋根に関する発明が開示されている。この無落雪屋根は、
屋根の中央に谷樋部を設け、屋根板に谷樋部に向けて下がる谷状の傾斜をつけて設けられていることにより、屋根に積もった雪が太陽光などで溶けてそれが谷樋によって建物下部へ流されることにより屋根からの落雪を防止することができる。
【先行技術文献】
【特許文献】
【０００３】
【特許文献１】実登第３０７２３４７号
【発明の概要】
【発明が解決しようとする課題】
【０００４】
しかしながら、上記先行技術による場合、屋根の中央に谷樋が配置された谷状の屋根となるため、樋部の凍結によるすが漏れ対策として屋根板と谷樋との接合部に防水シートの施工が必要となる。また、店舗等の商業施設では柱を少なくする必要があるため片流れの折板屋根が採用されるが、片流れの屋根では、屋根の中央に谷樋を設けることができず屋根の下端部に樋を設ける必要がある。そのため、前述同様樋部の凍結によるすが漏れ対策として屋根板と谷樋との接合部に防水シートの施工が必要となる。さらに、折半屋根の場合においては、断面形状が山折部と谷折部の繰り返しとなるため、樋との接合部における防水シートの施工がより複雑になる。このため、施工期間（時間）が長くなり、コストを抑制することができない。
【０００５】
本発明は上記問題を考慮し、片流れの屋根においても施工期間が短く、コストを抑制することができる無落雪屋根構造を得ることが目的である。
【課題を解決するための手段】
【０００６】
請求項１記載の発明に係る無落雪屋根構造は、建物に設けられた片流れの屋根と、前記片流れの屋根の傾斜面の傾斜方向下側に設けられ、前記片流れの屋根の傾斜方向と逆方向に傾斜しかつ水平を超えかつ垂直未満の勾配を有した雪止め板と、を備えている。
【０００７】
請求項２記載の発明に係る無落雪屋根構造は、請求項１に記載の無落雪屋根構造において、前記屋根は、折板屋根とされており、当該折板屋根におけるそれぞれの谷折部には排水口が形成されており、当該排水口はそれぞれ連通路を介して屋内を通る一本の集合配管に連結されている、
【０００８】
請求項３記載の発明に係る無落雪屋根構造は、請求項１又は請求項２に記載の無落雪屋根構造において、前記雪止め板と前記片流れの屋根との間には、屋内の空気を外部へ排出する排気手段が設けられている。
【０００９】
請求項４記載の発明に係る雪止め装置は、細長い板状に形成された雪止め板と、前記雪止め板の一方の長辺部の下側に設けられた第１脚部と、前記雪止め板の他方の長辺部の下側に設けられ、前記第１脚部よりも脚の長さが長く設定された第２脚部と、を有している。
【００１０】
請求項１記載の本発明によれば、建物に設けられた片流れの屋根の傾斜面の下側には、片流れの屋根の傾斜方向と逆方向で、かつその傾斜の角度は水平を超えかつ垂直未満の角度とされた雪止め板が設けられている。したがって、屋根の上に積もった雪は、片流れの屋根の傾斜に沿って下へ移動する場合でも、屋根の傾斜方向の下側に設けられている雪止め板によって堰き止められて屋根の上に留まり、地上に落雪しないようにすることが可能となる。
【００１１】
請求項２記載の本発明によれば、片流れの屋根は折板にて構成される折板屋根とされており、それぞれの谷折部には排水口が形成され、その排水口は連通路を介して屋内を通る一本の集合配管に連結されている。したがって、屋根の上を流れる水は、折板の山折部から谷折部へ流され、谷折部の水は屋根の傾斜に沿って下側へと流されていく。そして、流下してきた水は、谷折部に設けられた排水口から連通路を介して連結された一本の集合配管により屋内へと流され、排水させることが可能となる。つまり、谷折部への加工で形成される排水口により屋根の上の水を効率よく処理することができる。
【００１２】
請求項３記載の本発明によれば、雪止め板と屋根との間には屋内の空気を外部へ排出させる排気手段としての排気ダクト等が設けられている。したがって、屋内の温かい空気が排気手段を通る際に放熱されることで、雪止め板が温められ、雪止め板上に積もった雪が溶かされ水となる。そして、水が雪止め板の傾斜に沿って流されて片流れの屋根上へ受け流され、その後片流れの屋根の傾斜に沿って谷折部に設けられた排水口へと流され、屋内を通って建物の下部へ排出させられる。結果として、屋根に積もった雪が屋根から落とされることなく処理させることが可能となる。
【００１３】
請求項４記載の本発明によれば、細長い板状に形成された雪止め板には、雪止め板の一方の長辺部の下側に第１脚部が設けられている。また、雪止め板の他方の長辺部の下側には第１脚部よりも脚の長さが長く設定された第２脚部が設けられる。したがって、脚の長さが異なる脚部により、取り付けられた屋根の傾斜と逆方向の傾斜が付けられた雪止め板を有する雪止め装置が新築時又は改修時に建物の屋根の上に取り付けられる。これにより、屋根の上に積もった雪は、片流れの屋根の傾斜に沿って下へ流されても、屋根の下側に設けられている雪止め板によって屋根の上に堰き止められて留まり、地上に落雪させないようにすることが可能となる。つまり、屋根を大きく変更することなく無落雪構造を得ることが可能となる。
【発明の効果】
【００１４】
請求項１記載の本発明に係る無落雪屋根構造は、片流れの屋根においても施工期間が短く、コストを抑制することができるという優れた効果を有する。
【００１５】
請求項２記載の本発明に係る無落雪屋根構造は、屋根の上の水が谷折部に設けられた排水口を通して集合配管へ受け流されるため、樋が不要となる。これにより、樋が凍結しすが漏り等が発生するのを防止できるという優れた効果を有する。
【００１６】
請求項３記載の本発明に係る無落雪屋根構造は、雪止め板上の雪を溶かすことにより、積もった雪が地上へ落下するのを防ぐことが可能となるという優れた効果を有する。
【００１７】
請求項４記載の本発明に係る無落雪屋根構造は、屋根を大きく変更することなく取付けることが可能となるので、コストを抑制することができる。さらに既に建てられている建物の屋根にも容易に取り付けることが可能になるという優れた効果を有する。
【図面の簡単な説明】
【００１８】
【図１】一実施形態に係る無落雪屋根を有する建物を概略的に示した外観斜視図である。
【図２】一実施形態に係る無落雪屋根を有する建物の一部を示す断面図である。
【図３】積雪時における一実施形態に係る無落雪屋根を有する建物の一部を示す断面図である。
【図４】一実施形態に係る無落雪屋根の排水口の拡大斜視図及び断面図である。
【発明を実施するための形態】
【００１９】
以下、図１〜図４を用いて、本発明に係る無落雪屋根構造の一実施形態について説明する。
【００２０】
図１には、建物としての店舗１０の外観斜視図が示されている。この店舗１０は一例としてコンビニエンスストア等の商業施設であり、正面２８左側には出入口１２が設けられている。この店舗１０は、正面２８の左側から右側の外壁パネル１４までにかけて広く開口した窓部１６が形成されており、窓部１６には、窓ガラス１８が取付けられている。また、側面２０及び背面２２は外壁パネル１４によって構成されており、これらは図示しない基礎と鉄骨フレームによって保持されている。さらに、店舗１０の上部には屋根２４が設けられている。
【００２１】
屋根２４の幅方向における長さは、店舗１０の一方の側面２０の外壁パネル１４の内側面から他方の側面２０の外壁パネル１４の内側面までの長さと略同一とされている。また、この屋根２４の店舗１０の奥行き方向における長さは、正面２８の外壁パネル１４の内側面から背面２２の外壁パネル１４の外側より少し飛び出す程度の長さとされている（図２参照）。
【００２２】
屋根２４は金属製の折板３０により構成された折板屋根とされており、この折板３０は断面が山折部３２の平面３４と谷折部３６の平面３８との長手方向端末を傾斜面４０で繋げられた形状が連続して複数設けられた形状とされている（図４（Ｂ）参照）。
【００２３】
また、屋根２４は、出入口１２や窓部１６のある正面２８に屋根２４の水が伝って落ちないように、正面２８側が高く背面２２側が低くなる傾斜が設けられた片流れの屋根とされている。さらに、屋根２４は、山折部３２の平面３４の長手方向と谷折部３６の平面３８の長手方向とが側面２０の外壁パネル１４の上縁と平行になるように設けられている。
【００２４】
図４（Ａ）に示されるように、屋根２４における店舗１０の背面２２側の端末には、折板３０に対して直交する状態となるように設けられた矩形状に形成された鼻隠しパネル４４が設けられている。この鼻隠しパネル４４の長辺側の寸法は、屋根２４の幅方向の長さと略同一の長さとされている。また、鼻隠しパネル４４の短辺側の寸法は、山折部３２の平面３４から谷折部３６の平面３８までの上下方向での寸法と略同一とされ、かつ折板３０の端末に対し、図示しない締結部材によって端末の上側に固定されている。これにより、屋根２４の背面２２側の端末には、下側に隙間４６が設けられ、隙間４６の上部は鼻隠しパネル４４によって端末が覆い隠されている。
【００２５】
また、谷折部３６の平面３８には、略方形に形成され、その一辺と平面３８の長辺とが平行にかつ、鼻隠しパネル４４と少し離された位置に排水口４８が形成されている。この排水口４８は、図４（Ｂ）に示されるように屋内に向けて垂直に設けられた連通路としての配管５０が接続されている。そして、同様の構成とされた排水口４８が折板３０における複数の谷折部３６の平面３８に鼻隠しパネル４４の長手方向に沿って一列に設けられている。それぞれの排水口４８に接続された配管５０は、勾配が付けられた集合配管７８に接続されており、この集合配管７８は屋内を通って店舗１０の下方へと配設される。つまり、屋根２４に雨等の水が流される場合は、折板３０の山折部３２から谷折部３６へと流され、谷折部３６の平面３８から屋根２４の傾斜を伝って谷折部３６の排水口４８へと流される。そして、排水口４８に接続された配管５０から集合配管７８を経て図２に示されるように屋内を通って店舗１０の下方へ排水される構造となっている。
【００２６】
また、図２に示されるように、屋根２４の背面２２側の傾斜面の下側４２には、屋根２４の上面側に雪止め装置５２が設けられている。この雪止め装置５２には、雪止め板５４が備えられ、雪止め板５４の下側には、雪止め板５４と屋根２４とに挟まれる楔型の空間５６が形成されている。
【００２７】
雪止め板５４は、屋根２４と同様に折板３０にて構成され、細長い板状に形成されている（図１参照）。そして、雪止め板５４の長辺方向の長さは、屋根２４の幅方向の長さと略同一とされている。また、短辺方向の長さは適宜変更可能とされており、本実施形態では屋根２４の奥行方向の長さの１/３〜１/４程度とされている。さらに、雪止め板５４の背面２２側の端末には、鼻隠しパネル２６が長辺方向に沿って設けられている。すなわち、鼻隠しパネル２６の長辺側の寸法は、雪止め板５４の長辺方向の長さと略同一の長さとされている。また、鼻隠しパネル２６の短辺側の寸法は、折板３０の山折部３２の平面３４と谷折部３６の平面３８との上下方向での寸法より少し大きい寸法とされている。さらに、図示しない締結部材等により鼻隠しパネル４４の下縁部と雪止め板５４の裏面とが揃えられるように固定されている。これにより、雪止め板５４の背面２２側の端末は鼻隠しパネル４４によって覆い隠されている。
【００２８】
雪止め板５４には、屋根２４の傾斜方向と逆方向の傾斜が付けられている。なお、本実施形態では、雪止め板５４の傾斜角度は、屋根２４の水平に対する傾斜角度と同等の角度とされており、この角度で設定されるのが望ましいが、これに限らず水平を超え垂直未満の角度の範囲内に設定されていてもよい。
【００２９】
また、雪止め板５４の下側には、脚部５８が雪止め板５４の長辺部に沿って設けられており、この脚部５８は、第１脚部８０と第２脚部８２とで構成されている。第１脚部８０と第２脚部８２はそれぞれ脚部の長さが異なっており、第１脚部８０の脚に対し第２脚部８２の脚が長く設定されている。また、第１脚部８０と第２脚部８２は、それぞれ上下方向の一方に、雪止め板５４の傾斜と平行とされた取付面６０と、他方に屋根２４の傾斜と平行とされた取付面６２が設けられている。そして、雪止め板５４の平面３８の下面側と取付面６０とは図示しないボルト等の締結部材で固定され、同様に屋根２４の平面３４の上面側と取付面６２とは図示しないボルト等の締結部材で固定されている。
【００３０】
第２脚部８２は、図２に示される断面形状が、雪止め板５４の長辺部に沿って店舗１０の一方の側面２０の外壁パネル１４における内側面から他方の側面２０の外壁パネル１４における内側面まで連続された形状とされている。これにより、空間５６の背面２２側はほぼ塞がれ、屋外から空間５６へ風雪等が入り難い構成とされている。
【００３１】
また、雪止め板５４には、山折部３２の平面３４にそれぞれ雪止め金具６４が設けられている。雪止め金具６４は一例として断面が略Ｌ字形状の金属製とされ、図示しないボルト等の締結部材で雪止め板５４へ固定されている。
【００３２】
店舗１０の屋内には、商品として提供される食品を調理加工する調理室６６が設けられている。この調理室６６には、一例としてホットプレートや電気フライヤー等の加温・加熱する調理器が設けられた調理台６８が備え付けられている。また、調理台６８の上部には換気扇７０と、換気扇７０に接続された排気手段としての排気ダクト７２が調理室６６から空間５６にかけて設けられている。
【００３３】
排気ダクト７２は、換気扇７０から空間５６に向って略上方に延出し、そして曲げられて空間５６内を雪止め板５４の長辺部に沿って配設され、店舗１０の側面２０に設けられた図示しない排出口へ接続されている。この排気ダクト７２は一例として金属等の熱伝導率の高い材料で構成されている。なお、排気ダクト７２の断面形状は本実施形態では円形とされているが、略方形等その他の形状でもよい。
【００３４】
（作用・効果）
次に、本実施形態の作用並びに効果を説明する。
【００３５】
図３に示されるように、店舗１０に雪７４が降った場合、屋根２４と雪止め板５４の上にそれぞれ雪７４Ａと雪７４Ｂとが積もる。屋根２４上に積もった雪７４Ａは、屋根２４の傾斜に沿って店舗１０の背面２２側へ流されようとする。それとは別に、雪止め板５４上に積もった雪７４Ｂは雪止め板５４の傾斜に沿って店舗１０の正面２８側へ流されようとする。したがって、雪７４Ａは雪止め板５４と雪７４Ｂとによって堰き止められる。結果として屋根２４上の雪７４Ａは屋根２４上に留められるため、屋根２４から地面へ雪７４Ａは落雪されない。また、雪止め板５４には正面２８側へ下がった傾斜が付けられている事及び雪止め金具６４が設けられていることにより、雪止め板５４上の雪７４Ｂは雪止め板５４から地面へ落雪されない。
【００３６】
屋内の調理室６６では、調理台６８で揚げ物等の加熱調理が行われることにより、熱気７６が発生される。この熱気７６は換気扇７０によって吸引されることで、換気扇７０と接続されている排気ダクト７２内を通り、外部へ排出される。この際、排気ダクト７２内に通される熱気７６の熱は、排気ダクト７２自体から外側へ放熱される。これにより、空間５６内の空気が温められ、それに伴って雪止め板５４も温められる。
【００３７】
雪止め板５４が温められることにより、雪止め板５４上に積もった雪７４Ｂは溶かされて水となり、雪止め板５４の傾斜に沿って店舗１０の正面２８側へと流され、雪止め板５４から屋根２４上へと流される。そして、流下してきた水は、谷折部３６の平面３８を屋根２４の傾斜に沿って店舗１０の背面２２側へと流され、谷折部３６の平面３８に設けた排水口４８から配管５０を介して室内を通る集合配管７８を通り店舗１０の下部へ排水される。
【００３８】
この際、雪止め水が雪止め板５４から屋根２４へ流されることにより、屋根２４上に積もった雪７４Ａが溶かされる。これにより、屋根２４上の雪７４Ａは水となって屋根２４の谷折部３６の平面３８を傾斜に沿って下側へと流され、排水口４８から店舗１０の下部へ排水される。したがって、屋根２４上及び雪止め板５４上に積もった雪７４が屋根２４から降ろされることなく処理させることが可能となる。
【００３９】
また、降雨時においては、屋根２４上に降った雨水は、屋根２４の山折部３２から谷折部３６の平面３８へ流されながら屋根２４の傾斜に沿って店舗１０の背面２２側へと流される。そして、流下してきた水は谷折部３６に設けた排水口４８から配管５０を介して室内を通る集合配管７８を通り店舗１０の下部へ排水される。同様に、雪止め板５４上に降った雨水は、雪止め板５４の傾斜に沿って屋根２４上へ流され、屋根２４の傾斜に沿って排水口４８から排水される。さらに、排水口４８から排水される処理能力を超える雨量となった場合は、オーバーフローした雨水が屋根２４の端末まで流され、隙間４６から外へ排出される。
【００４０】
以上の説明のとおり、建物に設けられた片流れの屋根２４の傾斜面の下側には、片流れの屋根２４の傾斜方向と逆方向で、かつその傾斜の角度は水平を超えかつ垂直未満の角度とされた雪止め板５４が設けられている。したがって、屋根２４の上に積もった雪７４Ａは、片流れの屋根２４の傾斜に沿って下へ移動する場合でも、屋根２４の傾斜方向の下側に設けられている雪止め板５４によって堰き止められて屋根２４の上に留まり、地上に落雪しないようにすることが可能となる。これにより、片流れの屋根においても施工期間が短く、コストを抑制することができる無落雪屋根構造を得ることができる。
【００４１】
また、片流れの屋根２４は折板３０にて構成される折板屋根とされており、それぞれの谷折部３６には排水口４８が形成され、その排水口４８は連通路としての配管５０を介して屋内を通る一本の集合配管７８に連結されている。したがって、屋根２４の上を流れる水は、折板３０の山折部３２から谷折部３６へ流され、谷折部３６の水は屋根２４の傾斜に沿って下側へと流されていく。そして、流下してきた水は、谷折部３６に設けられた排水口４８から連通路としての配管５０を介して連結された一本の集合配管７８により屋内へと流され、排水させることが可能となる。つまり、谷折部３６への加工で形成される排水口４８により屋根の上の水を効率よく処理することができる。これにより、屋根２４の上の水が谷折部３６に設けられた排水口４８を通して集合配管７８へ受け流されるため、樋が不要となり、樋が凍結しすが漏り等が発生するのを防止できる。
【００４２】
さらに、雪止め板５４と屋根２４との間には屋内の空気を外部へ排出させる排気手段としての排気ダクト７２が設けられている。したがって、屋内の温かい空気が排気手段を通る際に放熱されることで、雪止め板５４が温められ、これにより雪止め板５４上に積もった雪７４Ｂが溶かされ水となる。そして、水が雪止め板５４の傾斜に沿って流されて片流れの屋根２４上へ受け流され、その後片流れの屋根２４の傾斜に沿って谷折部３６に設けられた排水口４８へと流され、屋内を通って建物の下部へ排出させられる。また、雪止め板５４上を流れる雪溶け水が屋根２４へ流れる際に、屋根２４上の雪７４Ａも溶かして排水口４８へと流される。結果として、屋根２４に積もった雪７４が屋根２４から落とされることなく処理させることが可能となる。これにより、屋根２４上に積もった雪７４が地上へ落下するのを防ぐことが可能となる。
【００４３】
さらにまた、細長い板状に形成された雪止め板５４には、雪止め板５４の一方の長辺部の下側に第１脚部８０が設けられている。また、雪止め板５４の他方の長辺部の下側には第１脚部８０よりも脚の長さが長く設定された第２脚部８２が設けられる。したがって、高さの異なる脚部５８により、取り付けられた屋根２４の傾斜方向と逆方向の傾斜が付けられた雪止め板５４を有する雪止め装置５２が新築時又は改修時に建物の屋根２４の上に取り付けられる。これにより、屋根２４の上に積もった雪７４は、片流れの屋根２４の傾斜に沿って下へ流されても、屋根２４の下側に設けられている雪止め板５４によって屋根２４の上に堰き止められて留まり、地上に落雪させないようにすることが可能となる。つまり、屋根２４を大きく変更することなく無落雪構造を得ることが可能となる。これにより、コストを抑制することができる。さらに既に建てられている建物の屋根にも容易に取り付けることが可能になる。
【００４４】
これに対し、従来の無落雪屋根では、屋根の中央に谷樋部を設けられ、また屋根には谷樋部に向けて谷状の傾斜が付けられている。これにより、屋根に積もった雪が太陽光などで溶かされて谷樋へ流され、谷樋から建物下部へ流されることにより屋根からの落雪が防止される構成とされている。したがって、屋根の中央に配置された谷樋部の凍結によるすが漏れ対策として屋根と谷樋との接合部に防水シートの施工が必要となる。さらに、片流れの屋根に無落雪構造を採用する場合には、屋根の傾斜の下端にスノーダクト等の樋が設けられるが、樋と屋根との間からのすが漏りが発生する可能性があるため、上記と同様に防水シート等を敷設する必要がある。しかしながら、防水シート等の施工は現場での作業が必要となることから、施工期間が長くなる。さらに折板で構成された屋根の場合は、防水シートの施工は折板の断面形状から複雑とならざるを得ない。このため、施工期間が長くなり、コストを抑制できないものとなっていた。
【００４５】
しかし、本実施形態によれば、屋根２４と同様の折板３０で構成された雪止め板５４を屋根２４の傾斜方向と逆方向の傾斜で屋根２４上に設置しかつ屋根２４と雪止め板５４の間に排気手段としての排気ダクト７２を設ける。これにより、排気ダクト７２からの熱で雪止め板５４が温められ、雪止め板５４上で溶かされた雪は水となって雪止め板５４の傾斜に沿って滞留されずに屋根２４上へ流される。そして、流下してきた水は屋根２４の傾斜に沿って排気ダクト７２からの放熱により温められた空間５６内に設置された排水口４８へと流され、屋内を通って排水される。これによって、雪７４は屋根２４から降ろさずに処理されることが可能となる。また、集合配管７８は屋内を通るので凍結することがない。さらに、排水口４８には雪が積もらないため、排水口４８が塞がれたり、配管５０が凍結して屋根２４に水が滞留させられることがない。このため、防水シート等の施工をしなくてもすが漏り等が発生するのを防止できる。
【００４６】
また、雪止め装置５２は、雪止め板５４と脚部５８とによる簡単な構成とされ、設置する側の屋根２４には排水口４８と配管５０と集合配管７８と排気ダクト７２とを設けるだけで無落雪屋根とすることが可能となる。つまり、屋根２４の中央にスノーダクト等の樋を設けるため屋根を谷状にする等の大掛かりな変更をする必要がない。したがって、屋根２４がユニット工法によって工場で製造された屋根である場合でも、現状の屋根の構造を維持した上で後加工により排水口４８と配管５０と集合配管７８と排気ダクト７２とを設け、雪止め装置５２を設置させることで無落雪屋根とすることが可能となる。このため、ユニットの設計変更が行われる必要がなく、また防水シート等の敷設といった現場での作業が不要となる。このため、施工期間（時間）が短縮され、コストを抑制することが可能となる。
【００４７】
さらに、店舗１０のように柱が少なくすることが求められる商業施設等では、折板３０で構成される片流れの屋根が採用される。この場合においても、屋根２４上に雪止め装置５２を設置し、屋根２４に排水口４８と配管５０と集合配管７８と排気ダクト７２とを設けさせることで無落雪屋根とすることが可能となる。これにより、折板３０の山折部３２と谷折部３６の繰り返しとなる断面形状により複雑となる樋との接合部における防水シートの施工が不要とされる。このため、施工期間（時間）を短縮化しコストを抑制して無落雪屋根とすることが可能となる。
【００４８】
また、本実施形態の無落雪屋根構造は、屋根２４に排水口４８と配管５０と集合配管７８と排気ダクト７２とを設け、雪止め装置５２を屋根２４上に設置させることで無落雪を実現できる構成とされているため、既に建設されている建物の屋根に対しても容易に設置可能となる。このため、施工期間（時間）を短縮化しコストを抑制して無落雪屋根とすることが可能となる。
【００４９】
なお、本実施形態では、雪止め板５４の平面３４に雪止め金具６４が設けられている構成としたが、雪止め板５４の傾斜を垂直に近い角度に設定した場合には雪止め金具６４がない構造としてもよい。
【００５０】
また、雪止め板５４と屋根２４との間に設けられる脚部５８は別体のものに限らず、雪止め板５４を下側へ折り返して脚部５８としてもよい。さらに、雪止め板５４に設けられる鼻隠しパネル２６の下縁部を延長して屋根２４へと固定してもよい。さらにまた、屋根２４に設けられる鼻隠しパネル４４の上縁部を延長して雪止め板５４を固定してもよい。
【００５１】
さらに、屋根２４の背面２２側の端末は、鼻隠しパネル４４の下部に隙間４６が設けられた構成とされているが、これに限らず、端末がすべて覆われるよう設けた鼻隠しパネル４４の下側に一つ若しくは複数の孔が設けられる構成としてもよい。
【００５２】
以上、本発明の実施形態について説明したが、本発明は、上記に限定されるものでなく、その主旨を逸脱しない範囲内において上記以外にも種々変形して実施することが可能であることは勿論である。
【符号の説明】
【００５３】
１０   店舗（建物）
２４   屋根（折板屋根）
３６   谷折部
４８   排水口
５０   配管（連通路）
５２   雪止め装置
５４   雪止め板
７２   排気ダクト（排気手段）
７８   集合配管
８０   第１脚部
８２   第２脚部
【図１】
2014214421.tif 000003
【図２】
2014214421.tif 000004
【図３】
2014214421.tif 000005
【図４】
2014214421.tif 000006